(57)【要約】  映像表示装置（１０）内で音声のデコード（１０８）を行い、デコードされた音声のフレーム番号（ＡＣ）を音声データとともに、音声出力装置（２０）に無線伝送し、音声出力装置（２０）から映像表示装置（１０）に音声のフレーム番号（ＲＣ）を送り返し、映像表示装置（１０）内でデコードされている映像のフレーム番号（ＶＣ）が送り返された音声のフレーム番号（ＲＣ）に一致するように、映像のデコード（１０６）のタイミングを制御する。映像表示装置から音声出力装置への送信などのための遅れが予測できなくても、また変動しても、映像の表示と音声の出力を同期させることができる。
2014069081.tif 000002
【特許請求の範囲】
【請求項１】
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有する
ことを特徴とする映像音声再生システム。
【請求項２】
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備える
ことを特徴とする映像表示装置。
【請求項３】
映像表示装置の無線送信部から無線で送信されたデジタル音声データを音声信号で表される音声を出力する音声出力装置において、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有する
ことを特徴とする音声出力装置。
【請求項４】
前記再生音声フレーム番号生成部で生成される前記再生音声フレーム番号が、所定の下限値から所定の上限値までの範囲内で循環的に変化する値を表すものである
ことを特徴とする請求項１に記載の映像音声再生システム。
【請求項５】
前記映像表示装置は、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記無線送信部は、
前記無線通信用エンコーダーから出力される前記デジタルデータストリームを前記音声出力装置に無線伝送する
ことを特徴とする請求項１又は４に記載の映像音声再生システム。
【請求項６】
前記再生音声フレーム番号復元部は、
前記正弦波信号の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられることを特徴とする請求項５に記載の映像音声再生システム。
【請求項７】
前記映像表示装置は、
前記再生音声フレーム番号をデジタル変調するデジタル変調器と、
前記音声デコーダーによってデコードされた音声信号をエンコードしてデジタルデータストリームを出力する無線通信用エンコーダーと、
前記無線伝送用デコーダーから出力された前記デジタルデータストリームと、前記デジタル変調器でデジタル変調された前記再生音声フレーム番号を多重して多重データを出力するデジタル多重器と
を有し、
前記無線送信部は、
前記デジタル多重器から出力される前記多重データを前記音声出力装置に無線伝送する
ことを特徴とする請求項１又は４に記載の映像音声再生システム。
【請求項８】
前記再生音声フレーム番号復元部は、
前記無線受信部で受信された、デジタル変調された前記再生音声フレーム番号をデジタル復調するデジタル復調器と、
前記デジタル復調器で復調されたデータからフレームカウント値を生成するカウント値生成部とを備え、
前記カウント値生成部で生成されたフレームカウント値が前記復元された再生音声フレーム番号として用いられる
ことを特徴とする請求項７に記載の映像音声再生システム。
【請求項９】
前記デジタル変調器が、振幅変調方式で前記デジタル変調を行うことを特徴とする請求項７又は８に記載の映像音声再生システム。
【請求項１０】
前記デジタル変調器が、周波数変調方式で前記デジタル変調を行うことを特徴とする請求項７又は８に記載の映像音声再生システム。
【請求項１１】
前記デジタル変調器が、位相変調方式で前記デジタル変調を行うことを特徴とする請求項７又は８に記載の映像音声再生システム。
【請求項１２】
前記デジタル変調器が、直角２相変調方式で前記デジタル変調を行う
ことを特徴とする請求項７又は８に記載の映像音声再生システム。
【請求項１３】
前記タイミング制御部は、
前記復元された再生音声フレーム番号と、前記再生映像フレーム番号の差分を求めるフレーム番号比較器と、
前記差分に基づいて調整値を算出する調整値算出器とを有し、
前記映像デコーダーは、前記調整値だけ、前記デコードのタイミングを変更する
ことを特徴とする請求項１、及び４乃至１２のいずれかに記載の映像音声再生システム。
【請求項１４】
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた映像データを逐次読み込んでデコードし、映像信号を出力する映像デコーダーと、
前記映像デコーダーにおける前記映像のデコードのための基準時刻情報を発生する基準時刻生成部と、
前記基準時刻情報と、前記音声を表す音声データを前記音声出力装置に無線送信する無線送信部とを備え、
前記音声出力装置は、
前記無線伝送された無線送信された前記音声データ及び前記基準時刻情報を受信して出力する無線受信部と、
前記無線受信部で受信された前記音声データを一時的に蓄える音声データバッファと、
前記音声データバッファに蓄えられている前記音声データを逐次読み込んでデコードし、音声信号を出力する音声デコーダーと、
前記音声デコーダーにおける前記音声のデコードのための基準時刻情報を発生する基準時刻生成部と、
前記基準時刻生成部で発生される基準時刻情報が、前記無線受信部で受信された前記基準時刻情報に一致するように、前記基準時刻生成部を制御する時刻生成制御部と
を備えることを特徴とする映像音声再生システム。
【請求項１５】
前記時刻生成制御部は、
前記基準時刻と前記基準時刻の差分を求める時刻比較器と、
前記差分に対して所定のゲインを乗算するゲイン調整器と、
前記ゲイン調整器の出力に対して低域フィルタリングを施す低域フィルタとを備え、
前記基準時刻生成部は、前記低域フィルタの出力に応じた周波数で発振するＶＣＯを含む
ことを特徴とする請求項１４に記載の映像音声再生システム。
【発明の詳細な説明】
【技術分野】
【０００１】
本発明は、コンテンツの映像及び音声を再生する映像音声再生システム、並びに映像表示装置及び音声出力装置に関する。本発明は特に、映像表示装置と音声出力装置とを有し、映像表示装置から音声出力装置へ音声を表す信号が無線で伝送されるシステムにおいて、映像の表示と音声の出力の同期化に関する。
【背景技術】
【０００２】
従来の同様のシステムとして、テレビ装置からスピーカ付きリモコンへ音声信号を送信して、音声の出力と映像の表示を同期化するために、テレビ装置において無線通信信号が生成されるまでの時間Ｔａ、無線通信信号がリモコンまで送信されるに要する時間Ｔｂ、リモコンにおいてスピーカで出力されるまでの時間Ｔｃを予測乃至算出し、これらの時間の合計Ｔｄだけ、テレビ装置における映像の表示を遅らせるものが知られている（特許文献１〜４）。
【先行技術文献】
【特許文献】
【０００３】
【特許文献１】特開２００８−２１９８１８号公報（段落０１５４、０１６２〜０１６９）
【特許文献２】特開２００８−２１９８１９号公報（段落０１４３、０１４４、０１５１〜０１５７）
【特許文献３】特開２００８−２１９８２０号公報（段落０１４１、０１４９〜０１５６）
【特許文献４】特開２００８−２１９８２１号公報（段落０１４１、０１４９〜０１５６）
【発明の概要】
【発明が解決しようとする課題】
【０００４】
しかしながら、上記の従来のシステムでは、予測乃至算出した時間Ｔａ、Ｔｂ、Ｔｃに基づいて求められた合計Ｔｄが実際に要する時間と異なる場合に、映像の表示と音声の出力との間にずれが生じると言う問題があった。
【課題を解決するための手段】
【０００５】
本発明の一つの態様の映像音声再生システムは、
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有する
ことを特徴とする。
本発明の他の態様の映像音声再生システムは、
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた映像データを逐次読み込んでデコードし、映像信号を出力する映像デコーダーと、
前記映像デコーダーにおける前記映像のデコードのための基準時刻情報を発生する基準時刻生成部と、
前記基準時刻情報と、前記音声を表す音声データを前記音声出力装置に無線送信する無線送信部とを備え、
前記音声出力装置は、
前記無線伝送された無線送信された前記音声データ及び前記基準時刻情報を受信して出力する無線受信部と、
前記無線受信部で受信された前記音声データを一時的に蓄える音声データバッファと、
前記音声データバッファに蓄えられている前記音声データを逐次読み込んでデコードし、音声信号を出力する音声デコーダーと、
前記音声デコーダーにおける前記音声のデコードのための基準時刻情報を発生する基準時刻生成部と、
前記基準時刻生成部で発生される基準時刻情報が、前記無線受信部で受信された前記基準時刻情報に一致するように、前記基準時刻生成部を制御する時刻生成制御部と
を備えることを特徴とする。
【発明の効果】
【０００６】
本発明によれば、映像表示装置から音声出力装置への送信などのための遅れが予測できなくても、また変動しても、映像の表示と音声の出力を同期させることができる。
【図面の簡単な説明】
【０００７】
【図１】本発明の映像音声再生システムを示す概略図である。
【図２】本発明の実施の形態１で用いられるテレビ装置の構成例を示すブロック図である。
【図３】実施の形態１で用いられるヘッドホンの構成例を示すブロック図である。
【図４】本発明の実施の形態２で用いられるテレビ装置の構成例を示すブロック図である。
【図５】実施の形態２で用いられるヘッドホンの構成例を示すブロック図である。
【図６】（ａ）及び（ｂ）は、実施の形態２のデジタル変調の一例として、ＡＳＫ変調を行う場合の搬送波及び変調波の波形を示す図である。
【図７】（ａ）及び（ｂ）は、ＡＳＫ変調を行う場合に用いられる変調器及び復調器の構成例を示すブロック図である。
【図８】（ａ）及び（ｂ）は、実施の形態２のデジタル変調の他の例として、ＦＳＫ変調を行う場合の搬送波及び変調波の波形を示す図である。
【図９】（ａ）及び（ｂ）は、ＦＳＫ変調を行う場合に用いられる変調器及び復調器の構成例を示すブロック図である。
【図１０】（ａ）及び（ｂ）は、実施の形態２のデジタル変調のさらに他の例として、ＱＰＳＫ変調を行う場合の搬送波及び変調波の波形を示す図である。
【図１１】ＱＰＳＫ変調を行う場合のデジタルデータの４つの値それぞれ割り当てられる、異なる位相の波形を示す図である。
【図１２】ＱＰＳＫ変調を行う場合のデジタルデータの４つの値それぞれ割り当てられる、異なる位相を示す図である。
【図１３】（ａ）及び（ｂ）は、ＱＰＳＫ変調を行う場合に用いられる変調器及び復調器の構成例を示すブロック図である。
【図１４】本発明の実施の形態３で用いられるテレビ装置の構成例を示すブロック図である。
【図１５】本発明の実施の形態３で用いられるヘッドホンの構成例を示すブロック図である。
【発明を実施するための形態】
【０００８】
実施の形態１．
図１は本発明に係る映像音声再生システムを示す。
図示の映像音声再生システムは、音声送信側装置乃至映像表示装置としてのテレビ装置１０と、音声受信側装置乃至音声出力装置としての無線音声伝送ヘッドホン２０とを有する。
【０００９】
図１のシステムでは、例えばテレビ放送をテレビ装置１０で受信して映像を表示画面１１で表示するとともに、音声をヘッドホン２０で出力して、テレビ放送の視聴を行う。音声信号は、テレビ装置１０からヘッドホン２０に無線伝送される。
【００１０】
図２は、図１のテレビ装置１０の一例を示す。図示のテレビ装置１０は、映像出力装置１００と、表示部１５０とを備える。映像出力装置１００は、チューナ１０１と、復調器１０２と、ＴＳデコーダー１０３と、映像データバッファ１０５と、映像デコーダー１０６と、音声データバッファ１０７と、音声デコーダー１０８と、基準時刻生成部１１１と、フレームカウンター１１４と、フレームカウンター１１６と、正弦波発信器１１７と、音声多重器１１９と、無線通信用エンコーダー１２１と、無線送信部１２２と、無線受信部１３１と、カウント値再生部１３２と、カウント値比較器１３３と、調整値算出器１３４と、ＣＰＵ１４０とを備えている。
【００１１】
チューナ１０１は、テレビ装置１０に入力されたデジタル放送波のうち、指定されたチャンネルの放送波を選択して出力する。
復調器１０２は、チューナ１０１で選択されたデジタル放送波を復調して復調信号を生成する。デジタル放送波は、例えばＭＰＥＧ−ＴＳ方式で、同時に再生されるべき映像と音声（同じコンテンツの映像と音声）を多重したものである。
【００１２】
ＴＳデコーダー１０３は、復調器１０２で生成された復調信号をデコードし、映像データと音声データを分離する。映像データ及び音声データには、デコードを開始する時間を記述したタイムスタンプと、出力を開始する時間を記述したタイムスタンプとが含まれている。
このデコードを開始する時間を記述したタイムスタンプを、ＤＴＳ（Ｄｅｃｏｄｉｎｇ  Ｔｉｍｅ  Ｓｔａｍｐ：復号時刻タイムスタンプ）と呼び、出力を開始する時間を記述したタイムスタンプを、ＰＴＳ（Ｐｒｅｓｅｎｔａｔｉｏｎ  Ｔｉｍｅ  Ｓｔａｍｐ：表示時刻タイムスタンプ）と呼ぶ。
【００１３】
ＤＴＳ及びＰＴＳは、映像及び音声に付けられているため、通常は、映像と音声をＤＴＳで表される時刻にデコードを開始し、ＰＴＳで表される時刻に映像の表示、及び音声の出力を行えた、映像の表示と音声の出力を同期させることができる。しかしながら、本発明の映像音声再生システムでは、映像の表示が行われるテレビ装置１０から、音声の出力が行われるヘッドホン２０へ無線で音声信号を伝送する構成となっているため、上記のようにしても映像の表示と音声の出力との間にずれが生じる。本発明はこのずれをなくすことを目的とする。
【００１４】
映像データバッファ１０５は、映像データを一時的に記憶する。映像デコーダー１０６は、映像データバッファ１０５に記憶されている映像データを逐次読み込んでデコードし、映像信号を表示部１５０に出力する。表示部１５０では表示画面（図１の符号１１）に映像を表示する。
【００１５】
音声データバッファ１０７は、音声データを一時的に記憶する。音声デコーダー１０８は音声データバッファ１０７に記憶されている音声データを逐次読み込んでデコードし、音声信号を出力する。
【００１６】
基準時刻生成部１１１は、映像デコーダー１０６による映像デコード及び音声デコーダー１０８による音声デコードのための基準クロック及び基準時刻情報を発生する。
基準時刻生成部１１１は、放送されるコンテンツのデータに付加されているＰＣＲ（Ｐｒｏｇｒａｍ  Ｃｌｏｃｋ  Ｒｅｆｅｒｅｎｃｅ）に同期するように制御される。従って、基準時刻生成部１１１で生成される基準時刻情報ＰＣＲａは、放送されたコンテンツに付加されたＰＣＲに同期したものである。
【００１７】
映像デコーダー１０６による映像データのデコード、及び映像の出力のタイミングは、基準クロック及び基準時刻情報ＰＣＲａ、並びに映像データに付加されているＤＴＳ及びＰＴＳにより制御される。即ち、基準時刻生成部１１１で生成される基準時刻情報ＰＣＲａが、各フレームの映像データに付加されているＤＴＳ、ＰＴＳに合致する値となったときに、当該映像についてのデコード及び出力（表示）が行われるように制御される。
【００１８】
音声デコーダー１０８による音声データのデコード、及び音声信号の出力のタイミングは、基準時刻生成部１１１から出力される基準クロック及び基準時刻情報ＰＣＲａ、並びに音声データに付加されているＤＴＳ及びＰＴＳにより制御される。即ち、基準時刻生成部１１１で生成される基準時刻情報ＰＣＲａが、各フレームの音声データ（各フレームの映像に対応する音声のデータ）に付加されているＤＴＳ、ＰＴＳに合致する値となったときに、当該音声についてのデコード及び出力（音声信号の音声デコーダー１０８からの出力）が行われるように制御される。
【００１９】
ＣＰＵ１４０は、ソフトウエアによる演算処理、及びテレビ装置１０の全体に対する、ソフトウエアによる制御を行う。ＣＰＵ１４０から各部への制御信号が符号ＣＳａで示されている。
【００２０】
以上の処理ブロックは、従来のテレビ装置１０にも通常備えられているものである。一方、以下に説明する処理ブロックは本発明で、映像表示と音声出力の同期化のために追加されたものである。
【００２１】
フレームカウンター１１４は、映像デコーダー１０６でデコードされた映像のフレームをカウントし、カウント値を映像のフレーム番号（を示す情報）ＶＣとして出力する。
【００２２】
フレームカウンター１１６は、音声デコーダー１０８で音声をデコードする際に、デコードされる音声のフレーム（音声にに対応する映像、即ち当該音声の出力と同時に表示されるべき映像のフレーム）をカウントして、カウント値を音声のフレーム番号（を表す情報）ＡＣとして出力する。
【００２３】
上記のように、映像データ及び音声データのいずれにもＤＴＳ、ＰＴＳが付加されているので、映像データに付加されているＤＴＳ、ＰＴＳに基づいて映像のフレームを計数することができ、音声データに付加されているＤＴＳ、ＰＴＳに基づいて音声のフレームを計数することができる。
【００２４】
以下に説明するように、本システムにおいて、映像の表示と音声の出力が同期した状態では、音声デコーダー１０８においてデコードされている音声のフレーム番号ＡＣは、同時に映像デコーダー１０６でデコードされている映像のフレーム番号ＶＣよりも若い番号のもの、即ち、より早く出力されるべき音声を表すものとなり、映像データバッファ１０５に蓄えられている映像データのフレーム数は、音声データバッファ１０７に蓄えられている音声データの音声に対応する映像のフレーム数よりも多くなる。
【００２５】
上記のように、フレームカウンター１１４のフレームカウント値は、デコードされた映像のフレーム番号を表すものであり、本願では再生映像フレーム番号と言うこともあり、フレームカウンター１１４を再生映像フレーム番号生成部と言うこともある。
同様に、フレームカウンター１１６のフレームカウント値は、デコードされた音声のフレーム番号を表すものであり、本願では再生音声フレーム番号と言うこともあり、フレームカウンター１１６を再生音声フレーム番号生成部と言うこともある。
【００２６】
正弦波発信器１１７は、フレームカウンター１１６のフレームカウント値ＡＣに応じた周波数の正弦波信号を生成する。この正弦波信号の周波数は、音声帯域内のもの、特に音声デコーダー１０８で処理される音声信号で表される音声の周波数の範囲内のものであり、フレームカウント値ＡＣが切り替わる（増加する）毎に切り替わる。
【００２７】
フレームカウンター１１６は、例えば所定の下限値、例えばゼロから所定の上限値までカウントアップし、上限値に達するとゼロにリセットされ、以降カウントアップとリセットを繰り返すもの、即ちカウント値が下限値から上限値までの範囲内で循環的に変化するものである。例えばフレームカウンター１１６のカウント値は、１６ビットで表され、下限値は０、上限値は６５５３５である。
【００２８】
正弦波発信器１１７では、予めカウント値に対して周波数を対応付けて記憶しており、例えばカウント値が０であれば、１００Ｈｚ、カウント値が６５５３５であれば、１０ｋＨｚの周波数を発信する。カウント値が０から６５５３５の間では、カウント値が１増加する毎に周波数が（１０ｋＨｚ−１００Ｈｚ）／６５５３５≒０．１５Ｈｚ上昇する。
【００２９】
カウント値に対応付けられた周波数は音声帯域内のもの、特に音声デコーダー１０８で処理される音声の周波数範囲内のものであるので、音声デコーダー１０８でデコードされた音声と同じ方法で無線伝送することができる。
【００３０】
音声信号が複数のチャンネルの音声を表すものである場合、カウント値を分割して複数のチャンネルに割り当てても良い。例えば、音声が第１及び第２のチャンネルを有する場合、カウント値のうちの前半（０から３２７６７）までを第１のチャンネルの周波数１００Ｈｚから１０ｋＨｚに割り当て、後半（３２７６８から６５５３５まで）を第２のチャンネルの周波数１００Ｈｚから１０ｋＨｚに割り当てることとしても良い。また、複数のチャンネルで同じカウント値に対応した周波数の信号を送信し、受信側で照合し、一致するかどうかの確認を行っても良い。
【００３１】
音声多重器１１９は、音声デコーダー１０８から出力された音声信号と正弦波発信器１１７で生成された正弦波形を多重する。
【００３２】
無線通信用エンコーダー１２１は、音声を無線で送るために、多重された音声信号（アナログ音声信号）をサンプリングしてエンコードし、デジタルデータストリームを生成する。このエンコードはＰＣＭ、例えばＡＤＰＣＭで行われる。
【００３３】
無線送信部１２２は、無線通信用エンコーダー１２１で生成されたデジタルデータストリームを無線伝送する。
無線伝送には、例えば、Ｂｌｕｅｔｏｏｔｈ（登録商標）と呼ばれる近距離無線伝送方式を利用することができる。
【００３４】
図３は、図１のヘッドホン２０の一例を示す。
図示のヘッドホン２０は、無線受信部２０１と、無線通信用デコーダー２０２と、カウント値復元部２０３と、無線送信部２０６と、ＣＰＵ２１０と、スピーカ２２０とを備えている。
【００３５】
無線受信部２０１は、テレビ装置１０の無線送信部１２２から無線伝送されたデジタルデータストリームを受信して出力する。
無線通信用デコーダー２０２は、無線受信部２０１で受信したデジタルデータストリーム（例えばＰＣＭでエンコードされたデータ）をデコードして、多重音声信号を復元し、本来の音声信号（放送されたコンテンツの音声を表す信号）と、フレームカウント値ＡＣを表す正弦波に分離して出力する。
【００３６】
無線通信用デコーダー２０２でデコードされ、分離された音声信号はスピーカ２２０に供給され、これによりスピーカ２２０から音声が出力される。
【００３７】
カウント値復元部２０３は、無線通信用デコーダー２０２から出力された正弦波信号から、フレームカウント値を復元する。復元されたカウント値を符号ＲＣで表す。カウント値ＲＣは再生音声のフレーム番号を表すものであるので、カウント値復元部２０３は、再生音声フレーム番号復元部とも呼ばれる。
【００３８】
カウント値復元部２０３は、周波数計測器２０４と、カウント値演算部２０５とを有する。
周波数計測器２０４は、無線通信用デコーダー２０２から出力された正弦波信号から周波数を計測し、周波数データを生成する。
カウント値演算部２０５は、周波数計測器２０４で計測された周波数から演算により、フレームカウント値を算出する。
カウント値演算部２０５で算出されたフレームカウント値が、復元されたフレームカウント値ＲＣとして用いられる。
【００３９】
復元されたフレームカウント値ＲＣは、（無線通信及び復元の処理などが誤りなく行われた場合には、）送信されたフレームカウント値ＡＣと同じ値を示し、そのときヘッドホン２０で出力されている音声のフレーム番号を表す。
【００４０】
なお、カウント値が複数の音声チャンネルに分割して割り当てられている場合には、正弦波信号がどのチャンネルに含まれたものであるかにも基づいて、フレームカウント値ＲＣの復元を行う。
また、同じカウント値に対応する正弦波が複数の音声チャンネルで伝送された場合には、複数のチャンネル間での照合を行い、例えば一致した場合には、復元されたカウント値は信頼性が高いものとして扱い、一致しない場合には、復元されたカウント値は信頼性が低いものとして扱うこととしても良い。
【００４１】
無線送信部２０６は、カウント値復元部２０３で復元されたカウント値ＲＣを表す信号を無線伝送する。
ＣＰＵ２１０は、ソフトウエアによる演算処理及びヘッドホン２０の全体に対するソフトウエア制御を行う。ＣＰＵ２１０から各部への制御信号が符号ＣＳｂで示されている。
【００４２】
図２に戻り、テレビ装置１０の無線受信部１３１は、ヘッドホン２０から無線伝送されたフレームカウント値ＲＣを表す信号を受信する。
カウント値再生部１３２は無線受信部１３１で受信された、復元フレームカウント値ＲＣを表す信号に基づいて、復元フレームカウント値ＲＣを生成（再生）する。
【００４３】
カウント値比較器１３３はフレームカウンター１１４のフレームカウント値ＶＣとカウント値再生部１３２から出力されるフレームカウント値ＲＣの差分（ｄＣ＝ＶＣ−ＲＣ）を算出する。カウント値比較器１３３は、フレーム番号比較器とも呼ばれる。
【００４４】
カウント値比較器１３３で求められるフレームカウント値の差分ｄＣは、テレビ装置１０における映像の表示と、ヘッドホン２０における音声の出力のタイミングのずれを表す。但し、ヘッドホン２０からテレビ装置１０へのフレームカウント値ＲＣを表す信号の送信に掛かる時間は無視できるものとしている。
調整値算出器１３４は算出された差分値ｄＣに基づいて調整値ｄＴＳを算出する。
【００４５】
映像デコーダー１０６では、調整値算出器１３４で算出された調整値ｄＴＳだけ、映像のデコードのタイミングを変更する。即ち調整値ｄＴＳが正であれば、デコードのタイミングを遅らせる。例えば、基準時刻生成部１１１で生成される基準時刻ＰＣＲａと合致するＤＴＳ、ＰＴＳが付加された映像ではなく、基準時刻ＰＣＲａから調整値を引いた値（ＰＣＲａ−ｄＴＳ）に合致するＤＴＳ、ＰＴＳが付加された映像のデコード及び出力を行う。
上記の処理でデコードの対象となる映像（フレーム）を調整値ｄＴＳだけ遅らせることができる。
【００４６】
調整値ｄＴＳとしては、差分値ｄＣに比例した値のものでも良いが、調整値ｄＴＳに上限を設けても良く、差分値ｄＣに１より小さい値を掛けた値に相当する調整値ｄＴＳを生成することとしても良い。例えばデコードされる映像を一気に遅らせると、不自然な感じが生じるが、上記のように、調整値ｄＴＳに上限を設けることで、不自然さの発生を防止乃至抑制することができる。
映像のデコードの開始を遅らせる分だけ、映像データバッファ１０５におけるデータ蓄積量が増える。
【００４７】
カウント値再生部１３２、カウント値比較器１３３、及び調整値算出器１３４により、ヘッドホン２０から無線送信されたフレームカウントＲＣに、フレームカウンター１１４で生成されたフレームカウント値ＶＣが一致するように、映像デコーダー１０６におけるデコードのタイミングを制御するタイミング制御部１３５が構成されている。
【００４８】
同期化のための上記の処理、即ち、正弦波発信器１１７による正弦波の発生、カウント値復元部２０３におけるカウント値ＲＣの復元、無線送信部２０６及び無線受信部２０７によるカウント値ＲＣの送受信、タイミング制御部１３５による映像デコーダー１０６の制御は、一定の時間間隔で行っても良く、該時間間隔を差分ｄＣに基づいて変更しても良い。この場合、例えば、差分ｄＣが大きいほど時間間隔を短くしても良い。このようなタイミングの制御はＣＰＵ１４０により行われる。
【００４９】
図１のシステムにおいて、映像は、テレビ装置１０の映像デコーダー１０６でのデコードの後、直ちに表示されるのに対して、音声は、テレビ装置１０の音声デコーダー１０８でデコードされた後、音声多重器１１９、及び無線通信用エンコーダー１２１による処理を受けた後、ヘッドホン２０に伝送され、ヘッドホン２０において、無線通信用デコーダー２０２でデコードされた後に出力される。従って、映像デコーダー１０６でデコードされる映像と、音声デコーダー１０８で同時にデコードされる音声とが互いに同じフレームのものであれば、ヘッドホン２０における音声の出力が映像の表示に対して遅れる。
【００５０】
本実施の形態では、音声デコーダー１０８でデコードされた音声のフレーム番号を表す再生音声フレーム番号ＡＣをテレビ装置１０で生成してヘッドホン２０に送り、ヘッドホン２０で該再生音声フレーム番号を復元して、復元された再生音声フレーム番号ＲＣを、ヘッドホン２０で出力されている音声のフレーム番号を表す情報としてヘッドホン２０からテレビ装置１０に送信し、テレビ装置１０において、再生映像フレーム番号ＶＣが、再生音声フレーム番号ＲＣに一致するように、映像デコーダー１０６におけるデコードのタイミングを制御している。このようなループ制御（帰還制御）を行う結果、再生開始時には上記のような音声の遅れ（映像の進み）が生じても、次第にこの遅れ（映像の進み）が小さくなり、最終的には音声の出力に映像の表示のタイミングが一致するようになる。
【００５１】
実施の形態２．
実施の形態１ではフレームカウント値ＡＣを、対応する周波数の正弦波に変換して伝送したが、フレームカウント値ＡＣをデジタル変調して音声帯域で伝送してもよい。
【００５２】
図４及び図５は、本発明の実施の形態２の映像表示装置としてテレビ装置１０ｂ及び音声受出力装置としてのヘッドホン２０ｂを示す。
【００５３】
図４に示されるテレビ１０ｂは、概して図２の装置と同じであるが、図２の正弦波発信器１１７、及び音声多重器１１９が設けられておらず、代わりに、デジタル変調器３０１と、デジタル多重器３０２が設けられている。また、図２の無線通信用エンコーダー１２１の代わりに無線通信用エンコーダー１２１ｂが設けられている。
【００５４】
デジタル変調器３０１はフレームカウンター１１６の出力（フレームカウント値ＡＣ）をデジタル変調する。
無線通信用エンコーダー１２１ｂは、音声デコーダー１０８の出力（音声信号）をサンプリングしてエンコードし、デジタルデータストリームを生成する。エンコードはＰＣＭ、例えばＡＤＰＣＭで行われる。
【００５５】
デジタル多重器３０２は、無線通信用エンコーダー１２１ｂの出力（音声信号をエンコードすることで得られたデジタルデータストリーム）と、デジタル変調器３０１の出力（フレームカウント値ＡＣをデジタル変調することで得られたデータ）を多重する。
無線送信部１２２は、デジタル多重器３０２の出力を無線伝送する。
【００５６】
図５に示されるヘッドホン２０ｂは、図３のヘッドホン２０と概して同じであるが、図３のカウント値復元部２０３の代わりにカウント値復元部２０３ｂが設けられている。
【００５７】
無線受信部２０１は、テレビ装置１０ｂから無線伝送されたデジタルデータストリームを受信して出力する。
無線通信用デコーダー２０２は、無線受信部２０１で受信したデジタルデータストリームをデコードして、音声信号を復元し、本来の音声信号（放送されたコンテンツの音声を表す）とフレームカウント値ＡＣを表すデジタルデータに分離して出力する。
【００５８】
無線通信用デコーダー２０２でデコードされ、分離された音声信号はスピーカ２２０に供給され、これによりスピーカ２２０から音声が出力される。
【００５９】
カウント値復元部２０３ｂは、無線通信用デコーダー２０２で分離されたカウント値ＡＣを表すデジタルデータから、フレームカウント値を表すデータを復元する。復元されたカウント値を符号ＲＣで表す。
復元されたカウント値ＲＣは、その時無線通信用デコーダー２０２でデコードされ、ヘッドホン２０ｂから出力されている音声のフレーム番号を表す。
【００６０】
カウント値復元部２０３ｂは、デジタル復調器４０１と、カウント値生成部４０２とを有する。
デジタル復調器４０１は、無線通信用デコーダー２０２で分離されたカウント値ＡＣを表すデータをデジタル復調する。
カウント値生成部４０２は、デジタル復調器４０１の出力（復調により得られたデータ）から、フレームカウント値を生成する。
カウント値生成部４０２で生成されたフレームカウント値が、復元されたフレームカウント値ＲＣとして用いられる。
【００６１】
復元されたフレームカウント値ＲＣを表す信号は、無線送信部２０６によりテレビ装置１０ｂに無線伝送される。
上記以外の点では、実施の形態２の動作は実施の形態１と同じである。
【００６２】
実施の形態２の構成でも、実施の形態１と同様のループ制御を行う結果、映像の表示を音声の出力に同期させることができる。また、再生音声フレーム番号をデジタル変調してテレビ装置からヘッドホンへ送信することとしているので、データの誤りを少なくし、高精度の制御を行うことができる。
【００６３】
以下、実施の形態２のデジタル変調器３０１及びデジタル復調器４０１の具体例を示す。
図６（ａ）及び（ｂ）は、デジタル変調の一例として振幅変調（ＡＳＫ変調）を行う場合の波形を示す。ＡＳＫ変調では、デジタルデータの１、０の値にそれぞれ異なる振幅を割り当てて搬送波（図６（ａ））を変調し、変調波（図６（ｂ））を生成する。
【００６４】
ＡＳＫ変調を行う場合には、デジタル変調器３０１及びデジタル復調器４０１としては、例えばそれぞれ図７（ａ）及び（ｂ）に示す構成のものを用いる。
図７（ａ）に示すデジタル変調器３０１は、所定周波数の搬送波を発生する搬送波発生器３１１と、搬送波発生器３１１で発生された搬送波をＡＳＫ変調するＡＳＫ変調器３１２を有する。図７（ｂ）に示すデジタル復調器４０１は、搬送波帯域以外の周波数成分を除去するバンドパスフィルター４１１と、バンドパスフィルター４１１で帯域制限された信号をＡＳＫ復調するＡＳＫ復調器４１２を有する。
【００６５】
上記のようにデジタル変調をＡＳＫ変調で行うこととすれば、テレビ装置１０ｂからヘッドホン２０ｂへの再生音声フレーム番号の送信を、ノイズに強く、誤りの少ない方法で行うことができる。
【００６６】
図８（ａ）及び（ｂ）は、デジタル変調の他の例として周波数変調（ＦＳＫ）を行う場合の波形を示す。ＦＳＫ変調では、デジタルデータの１、０の値にそれぞれ異なる周波数を割り当てて搬送波（図８（ａ））を変調し、変調波（図８（ｂ））を生成する。
【００６７】
ＦＳＫ変調を行う場合には、デジタル変調器３０１及びデジタル復調器４０１としては、例えばそれぞれ図９（ａ）及び図９（ｂ）に示す構成のものを用いる。
図９（ａ）に示すデジタル変調器３０１は、所定周波数の搬送波を発生する搬送波発生器３１１と、搬送波発生器３１１で発生された搬送波をＦＳＫ変調するＦＳＫ変調器３１３を有する。図９（ｂ）に示すデジタル復調器４０１は、搬送波帯域以外の周波数成分を除去するバンドパスフィルター４１１と、バンドパスフィルター４１１で帯域制限された信号をＦＳＫ復調するＦＳＫ復調器４１３を有する。
【００６８】
上記のようにデジタル変調をＦＳＫ変調で行うこととすれば、テレビ装置１０ｂからヘッドホン２０ｂへの再生音声フレーム番号の送信を、誤りの少ない方法で行うことができる。
【００６９】
図１０（ａ）及び（ｂ）は、デジタル変調のさらに他の例として位相変調（ＰＳＫ）、例えば４相位相変調（ＱＰＳＫ）を行う場合の波形を示す。ＱＰＳＫ変調では、デジタルデータの００、１０、１１、０１にそれぞれ異なる位相を割り当てて搬送波（図１０（ａ））を変調し、変調波（図１０（ｂ））を生成する。デジタルデータ００、１０、１１、０１と位相の関係は、図１１及び図１２に示されている。
【００７０】
ＱＰＳＫ変調を行う場合には、デジタル変調器３０１及びデジタル復調器４０１としては、例えばそれぞれ図１３（ａ）及び図１３（ｂ）に示す構成のものを用いる。
図１３（ａ）に示すデジタル変調器３０１は、所定周波数の搬送波を発生する搬送波発生器３１１と、搬送波発生器３１１で発生された搬送波をＱＰＳＫ変調するＱＰＳＫ変調器３１４を有する。図１３（ｂ）に示すデジタル復調器４０１は、搬送波帯域以外の周波数成分を除去するバンドパスフィルター４１１と、バンドパスフィルター４１１で帯域制限された信号をＱＰＳＫ復調するＱＰＳＫ復調器４１４を有する。
【００７１】
なお、位相変調方式として、上記の４相位相変調のほか、他の相数の位相変調方式、例えば２相位相変調（ＢＰＳＫ）方式、８相位相変調（８ＰＳＫ）方式を用いることとしても良い。
【００７２】
上記のようにデジタル変調をＰＳＫ変調で行うこととすれば、テレビ装置１０ｂからヘッドホン２０ｂへの再生音声フレーム番号の送信を、伝送効率が良く、誤りの少ない方法で行うことができる。
【００７３】
なおまた、上記の方式の代わりに、互いに９０度位相が異なる正弦波形の振幅を変化させ、この２つの波形を直角２相変調するＱＡＭ方式を用いてもよい。
【００７４】
上記のようにデジタル変調をＱＡＭ方式で行うこととすれば、テレビ装置１０ｂからヘッドホン２０ｂへの再生音声フレーム番号の送信を、誤りの少ない方法で行うことができる。
【００７５】
実施の形態３．
図１４及び図１５は、本発明の実施の形態３の映像表示装置としてテレビ装置１０ｃ及び音声出力装置としてのヘッドホン２０ｃを示す。
【００７６】
図１４に示されるテレビ装置１０ｃは、概して図２のテレビ装置と同じであるが、図２の音声データバッファ１０７、音声デコーダー１０８、フレームカウンター１１６、正弦波発信器１１７、音声多重器１１９、無線通信用エンコーダー１２１、無線受信部１３１、カウント値再生部１３２、カウント値比較器１３３、及び調整値算出器１３４が設けられていない。
【００７７】
図１５に示されるヘッドホン２０ｃは、無線受信部６０１と、音声データバッファ６０３と、基準時刻生成部６１０と、時刻生成制御部６２０と、時刻比較器６２１と、ゲイン調整器６２２と、低域フィルタ６２３と、ＣＰＵ６３０とを有する。
【００７８】
基準時刻生成部６１０は、電圧制御発振器（ＶＣＯ）６１１と、クロック発生器６１２と、ＳＴＣカウンター６１３とを有する。
時刻生成制御部６２０は、時刻比較器６２１と、ゲイン調整器６２２と、低域フィルタ６２３とを有する。
【００７９】
図１４において、図２と同じ符号は同様のものを示す。
図１４の映像デコーダー１０６は、動作の開始時には、映像データバッファ１０５にある程度以上のデータが蓄積されてからデコードを開始するように制御されるのが望ましい。テレビ装置１０ｃでの映像の表示がヘッドホン２０ｃでの音声の出力に対して遅れた場合に、遅れを取り戻す（映像の表示を早める）ことを可能にするためである。映像データバッファ１０５の容量は、予想される最大の遅れに相当する量以上とするのが望ましい。
【００８０】
図２では、ＴＳデコーダー１０３で分離された音声データをテレビ装置内でデコードしているが、図１４では、ＴＳデコーダー１０３で分離された音声データを圧縮形式のまま無線送信部１２２で無線伝送する。この音声データには、実施の形態１で述べたのと同様に、ＤＴＳ及びＰＳＴが多重されている。
【００８１】
また、基準時刻生成部１１１で生成された基準時刻情報ＰＣＲａを無線送信部１２２で無線伝送する。基準時刻情報ＰＣＲａは、ヘッドホン２０ｃにおける音声デコーダー６０４の動作を、テレビ装置１０ｃ内の映像デコーダー１０６の動作に同期させるために用いられる。
【００８２】
ヘッドホン２０ｃ内の無線受信部６０１は、テレビ装置１０ｃ内の無線送信部１２２から無線伝送された音声データ及び基準時刻情報ＰＣＲａを受信する。
音声データバッファ６０３は、無線受信部６０１で受信された音声データを一時的に記憶する。
音声デコーダー６０４は、音声データバッファ６０３に記憶されている音声データを逐次読み込んでデコードし、音声信号を出力する。
出力された音声信号はスピーカ２２０に供給され、これにより、スピーカ２２０から音声が出力される。
【００８３】
基準時刻生成部６１０は、音声デコーダー６０４による音声デコードのための基準クロック及び基準時刻情報ＳＴＣを発生する。この基準クロックの周波数は例えば２７ＭＨｚである。
【００８４】
音声デコーダー６０４は、動作の開始時には、音声データバッファ６０３にある程度以上のデータが蓄積されてからデコードを開始するように制御されるのが望ましい。ヘッドホン２０ｃでの音声の出力が、テレビ装置１０ｃでの映像の表示に対して遅れた場合、遅れを取り戻す（音声の出力を早める）ことを可能にするためである。音声データバッファ６０３の容量は、予想される最大の遅れに相当する量以上とするのが望ましい。
【００８５】
音声デコーダー６０４による音声データのデコード、及び音声信号の出力のタイミングは、基準時刻生成部６１０から出力される基準クロック及び基準時刻情報ＳＴＣ、並びに音声データに付加されているＤＴＳ及びＰＴＳによりそれぞれ制御される。即ち、基準時刻生成部６１０で生成される基準時刻情報ＳＴＣが、各フレームの音声データに付加されているＤＴＳ、ＰＴＳに合致する値となったときに、当該音声についてのデコード及び出力が行われるように制御される。
【００８６】
ＳＴＣカウンター６１３は、クロック発生器６１２で発生されるクロックをカウントすることで基準時刻情報ＳＴＣを発生する。
【００８７】
時刻比較器６２１は、無線受信部６０１で受信された基準時刻情報ＰＣＲａと基準時刻生成部６１０で発生される基準時刻情報ＳＴＣを比較し、両者の差
ｄＴＣ＝ＳＴＣ−ＰＣＲａ
を求める。この差は、基準時刻情報ＰＣＲａに対する基準時刻情報ＳＴＣのずれ量を表し、従って、そのときテレビ装置１０ｃで表示されている映像と、ヘッドホン２０ｃで出力されている音声のタイミングのずれ量を表す。
【００８８】
ゲイン調整器６２２はずれ量に対して所定のゲインを乗算して出力する。
低域フィルタ６２３は、ゲイン調整器６２２の出力に対して低域通過フィルタリングを掛ける。
【００８９】
ＶＣＯ６１１は、低域フィルタ６２３の出力（電圧信号）に基づいてその発振周波数が制御される。
クロック発生器６１２は、ＶＣＯ６１１の発振周波数又はこれに比例する周波数のクロックを発生する。
上記のように、時刻比較器６２１、ゲイン調整器６２２、及び低域フィルタ６２３で構成される時刻生成制御部６２０により、基準時刻生成部６１０で発生される基準時刻情報ＳＴＣが、無線受信部６０１で受信された基準時刻情報ＰＣＲａに一致するように、基準時刻生成部６１０が制御される。
【００９０】
ＣＰＵ６３０は、ソフトウエアによる演算処理及びヘッドホン２０ｃの全体に対するソフトウエア制御を行う。
【００９１】
テレビ装置１０ｃにおける映像のデコード及び表示とヘッドホン２０ｃにおける音声のデコード及び表示は、ＤＴＳ及びＰＴＳに基づいて行われる。即ち、テレビ装置１０ｃでは、各フレームの映像のＤＴＳに、基準時刻情報ＰＣＲａが合致したときに当該フレームの映像のデコードを開始し、各フレームの映像のＰＴＳに、基準時刻情報ＰＣＲａが合致したときに当該フレームの映像の表示を開始し、ヘッドホン２０ｃでは、各フレームの音声のＤＴＳに、基準時刻ＳＴＣが一致したときに当該フレームの音声のデコードを開始し、各フレームの音声のＰＴＳに、基準時刻ＳＴＣが一致したときに当該フレームの音声の出力を開始する。
【００９２】
従って、ヘッドホン２０ｃの基準時刻ＳＴＣをテレビ装置１０ｃの基準時刻ＰＣＲａに一致させれば、音声の出力を映像の表示に同期させることができる。
実施の形態３では、ヘッドホン２０ｃにおいて、基準時刻生成部６１０、及び時刻生成制御部６２０を用いてループ制御（帰還制御）を行っているので、基準時刻ＳＴＣを基準時刻ＰＣＲａに一致させることができ、音声の出力を映像の表示に一致させることができる。
【００９３】
また、テレビ装置１０ｃでは、ＴＳデコーダー１０３から出力された音声データをそのまま（即ちデコードすることなく）無線送信部１２２で送信し、ヘッドホン２０ｃでは無線受信部６０１で受信した音声データを、音声データバッファ６０３を介して音声デコーダー６０４に供給するようにしているので、ＴＳデコーダー１０３の出力から、音声デコーダー６０４への入力までの時間は短く、従って、映像データバッファ１０５におけるデータ蓄積量（予想される音声の最大遅れを考慮した量）はさほど大きくする必要がない。逆に、音声の出力に対して映像の表示が遅れる可能性を考慮して、音声データバッファ６０３の容量を決める必要があるが、通常は映像の表示が音声に対して遅れることはなく、従って、音声データバッファ６０３のデータ蓄積量もさほど大きくする必要がない。
【００９４】
実施の形態３の構成では、ヘッドホン２０ｃにおける音声のデコード及び／又は音声の出力のタイミングを表す情報をヘッドホン２０ｃからテレビ装置１０ｃに送信しなくても、映像の表示と音声の出力を同期させることができる。
【００９５】
変形例．
以上映像表示装置がテレビ装置であり、放送波を受信して放送されたコンテンツの映像と音声を出力する場合について説明したが、映像音声を記録媒体から再生する装置、例えば、ＤＶＤ装置やＢＤ装置から、映像信号及び音声信号を受信して、映像をテレビ装置などの表示機能を有する装置で表示し、音声信号を無線伝送により音声出力装置に送信して出力させる場合にも本発明を適用することができる。また音声出力装置がヘッドホンである場合について説明したが、無線伝送により音声信号を受信して出力する他の装置、例えばスピーカ内蔵リモコンであっても本発明を適用することができる。
【符号の説明】
【００９６】
１０、１０ｂ、１０ｃ  テレビ装置、  ２０、２０ｂ、２０ｃ  ヘッドホン、  １０１  チューナ、  １０２  復調器、  １０３  ＴＳデコーダー、  １０７  音声データバッファ、  １０８  音声デコーダー、  １０５  映像データバッファ、  １０６  映像デコーダー、  １１１  基準時刻生成部、  １１４  フレームカウンター、  １１６  フレームカウンター、  １１７  正弦波発信器、  １１９  音声多重器、  １２１、１２１ｂ  無線通信用エンコーダー、  １２２  無線送信部、  １３１  無線受信部、  １３２  カウント値再生部、  １３３  カウント値比較器、  １３４  調整値算出器、  １４０  ＣＰＵ、  ２０１  無線受信部、  ２０２  無線通信用デコーダー、  ２０３、２０３ｂ  カウント値復元部、  ２０４  周波数計測器、  ２０５  カウント値演算部、  ２０６  無線送信部、  ３０１  デジタル変調器、  ３０２  デジタル多重器、  ４０１  デジタル復調器、  ４０２  カウント値生成部、  ６０１  無線受信部、  ６０３  音声データバッファ、  ６０４  音声デコーダー、  ６１０  基準時刻生成部、  ６１１  ＶＣＯ、  ６１２  クロック発生器、  ６１３  ＳＴＣカウンター、  ６２０  時刻生成制御部、  ６２１  時刻比較器、  ６２２  ゲイン調整器、  ６２３  低域フィルタ、  ６３０  ＣＰＵ。
【図１】
2014069081.tif 000003
【図２】
2014069081.tif 000004
【図３】
2014069081.tif 000005
【図４】
2014069081.tif 000006
【図５】
2014069081.tif 000007
【図６】
2014069081.tif 000008
【図７】
2014069081.tif 000009
【図８】
2014069081.tif 000010
【図９】
2014069081.tif 000011
【図１０】
2014069081.tif 000012
【図１１】
2014069081.tif 000013
【図１２】
2014069081.tif 000014
【図１３】
2014069081.tif 000015
【図１４】
2014069081.tif 000016
【図１５】
2014069081.tif 000017
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記再生音声フレーム番号生成部で生成される前記再生音声フレーム番号が、所定の下限値から所定の上限値までの範囲内で循環的に変化する値を表すものである
ことを特徴とする映像音声再生システム。
【請求項２】
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記映像表示装置は、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送する
ことを特徴とする映像音声再生システム。
【請求項３】
前記再生音声フレーム番号復元部は、
前記正弦波の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられる
ことを特徴とする請求項２に記載の映像音声再生システム。
【請求項４】
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記再生音声フレーム番号生成部で生成される前記再生音声フレーム番号が、所定の下限値から所定の上限値までの範囲内で循環的に変化する値を表すものである
ことを特徴とする映像表示装置。
【請求項５】
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部と、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記無線送信部は、
前記無線通信用エンコーダーから出力される前記デジタルデータストリームを音声出力装置に無線伝送する
ことを特徴とする映像表示装置。
【請求項６】
映像表示装置の無線送信部から無線で送信された音声信号と、前記映像表示装置で映像データをデコードする際に生成された再生音声フレーム番号を受信し、前記音声信号で表される音声を出力する音声出力装置において、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記映像表示装置で生成される再生映像フレーム番号が一致するように、前記映像表示装置における前記映像データのデコードのタイミングを制御するタイミング制御部と、
前記再生音声フレーム番号に対応する周波数の正弦波を生成するための正弦波発信器と、
前記映像表示装置の前記無線送信部から無線送信された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送し、
前記再生音声フレーム番号復元部は、
前記正弦波の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられる
ことを特徴とする音声出力装置。
【請求項７】
前記映像表示装置は、
前記再生音声フレーム番号をデジタル変調するデジタル変調器と、
前記音声デコーダーによってデコードされた音声信号をエンコードしてデジタルデータストリームを出力する無線通信用エンコーダーと、
前記無線通信用エンコーダーから出力された前記デジタルデータストリームと、
前記デジタル変調器でデジタル変調された前記再生音声フレーム番号を多重して多重データを出力するデジタル多重器とを有し、
前記無線送信部は、
前記デジタル多重器から出力される前記多重データを前記音声出力装置に無線伝送する
ことを特徴とする請求項１から３のいずれか１項に記載の映像音声再生システム。
【請求項８】
前記再生音声フレーム番号復元部は、
前記無線受信部で受信された、デジタル変調された前記再生音声フレーム番号をデジタル復調するデジタル復調器と、
前記デジタル復調器で復調されたデータからフレームカウント値を生成するカウント値生成部とを備え、
前記カウント値生成部で生成されたフレームカウント値が前記復元された再生音声フレーム番号として用いられる
ことを特徴とする請求項７に記載の映像音声再生システム。
【請求項９】
前記デジタル変調器が、振幅変調方式で前記デジタル変調を行う
ことを特徴とする請求項７又は８に記載の映像音声再生システム。
【請求項１０】
前記デジタル変調器が、周波数変調方式で前記デジタル変調を行う
ことを特徴とする請求項７又は８に記載の映像音声再生システム。
【請求項１１】
前記デジタル変調器が、位相変調方式で前記デジタル変調を行う
ことを特徴とする請求項７又は８に記載の映像音声再生システム。
【請求項１２】
前記デジタル変調器が、直角２相変調方式で前記デジタル変調を行う
ことを特徴とする請求項７又は８に記載の映像音声再生システム。
【請求項１３】
前記タイミング制御部は、
前記復元された再生音声フレーム番号と、前記再生映像フレーム番号の差分を求めるフレーム番号比較器と、
前記差分に基づいて調整値を算出する調整値算出器とを有し、
前記映像デコーダーは、前記調整値だけ、前記デコードのタイミングを変更する
ことを特徴とする請求項１から３及び７から１２のいずれか１項に記載の映像音声再生システム。
【請求項１４】
映像表示装置と、音声出力装置とを有し、
前記映像表示装置で映像を表示するとともに、前記映像と同期して出力すべき音声を表す音声データを前記音声出力装置に無線で送信し、
前記音声出力装置において、前記音声データで表される音声を出力する
映像音声再生システムにおいて、
前記映像表示装置は、
前記映像を表す映像データを一時的に蓄える映像データバッファと、
前記映像データバッファに蓄えられた映像データを逐次読み込んでデコードし、映像信号を出力する映像デコーダーと、
前記映像デコーダーにおける前記映像のデコードのための基準時刻情報を発生する基準時刻生成部と、
前記基準時刻情報と、前記音声を表す音声データを前記音声出力装置に無線送信する無線送信部とを備え、
前記音声出力装置は、
前記無線送信された前記音声データ及び前記基準時刻情報を受信して出力する無線受信部と、
前記無線受信部で受信された前記音声データを一時的に蓄える音声データバッファと、
前記音声データバッファに蓄えられている前記音声データを逐次読み込んでデコードし、音声信号を出力する音声デコーダーと、
前記音声デコーダーにおける前記音声のデコードのための基準時刻情報を発生する基準時刻生成部と、
前記基準時刻生成部で発生される基準時刻情報が、前記無線受信部で受信された前記基準時刻情報に一致するように、前記基準時刻生成部を制御する時刻生成制御部と
を備えることを特徴とする映像音声再生システム。
【請求項１５】
前記時刻生成制御部は、
前記基準時刻生成部で発生された前記基準時刻情報と前記無線受信部で受信された前記基準時刻情報の差分を求める時刻比較器と、
前記差分に対して所定のゲインを乗算するゲイン調整器と、
前記ゲイン調整器の出力に対して低域フィルタリングを施す低域フィルタとを備え、
前記基準時刻生成部は、前記低域フィルタの出力に応じた周波数で発振するＶＣＯを含む
ことを特徴とする請求項１４に記載の映像音声再生システム。
【手続補正２】
【補正対象書類名】明細書
【補正対象項目名】０００５
【補正方法】変更
【補正の内容】
【０００５】
本発明の一つの態様の映像音声再生システムは、
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記再生音声フレーム番号生成部で生成される前記再生音声フレーム番号が、所定の下限値から所定の上限値までの範囲内で循環的に変化する値を表すものである
ことを特徴とする。
本発明の他の態様の映像音声再生システムは、
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記映像表示装置は、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送する
ことを特徴とする。
本発明のさらに他の態様の映像表示装置は、
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記再生音声フレーム番号生成部で生成される前記再生音声フレーム番号が、所定の下限値から所定の上限値までの範囲内で循環的に変化する値を表すものである
ことを特徴とする。
本発明のさらに他の態様の映像表示装置は、
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部と、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記無線送信部は、
前記無線通信用エンコーダーから出力される前記デジタルデータストリームを音声出力装置に無線伝送する
ことを特徴とする。
本発明のさらに他の態様の音声出力装置は、
映像表示装置の無線送信部から無線で送信された音声信号と、前記映像表示装置で映像データをデコードする際に生成された再生音声フレーム番号を受信し、前記音声信号で表される音声を出力する音声出力装置において、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記映像表示装置で生成される再生映像フレーム番号が一致するように、前記映像表示装置における前記映像データのデコードのタイミングを制御するタイミング制御部と、
前記再生音声フレーム番号に対応する周波数の正弦波を生成するための正弦波発信器と、
前記映像表示装置の前記無線送信部から無線送信された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送し、
前記再生音声フレーム番号復元部は、
前記正弦波の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられる
ことを特徴とする。
本発明のさらに他の態様の映像音声再生システムは、
映像表示装置と、音声出力装置とを有し、
前記映像表示装置で映像を表示するとともに、前記映像と同期して出力すべき音声を表す音声データを前記音声出力装置に無線で送信し、
前記音声出力装置において、前記音声データで表される音声を出力する
映像音声再生システムにおいて、
前記映像表示装置は、
前記映像を表す映像データを一時的に蓄える映像データバッファと、
前記映像データバッファに蓄えられた映像データを逐次読み込んでデコードし、映像信号を出力する映像デコーダーと、
前記映像デコーダーにおける前記映像のデコードのための基準時刻情報を発生する基準時刻生成部と、
前記基準時刻情報と、前記音声を表す音声データを前記音声出力装置に無線送信する無線送信部とを備え、
前記音声出力装置は、
前記無線伝送された無線送信された前記音声データ及び前記基準時刻情報を受信して出力する無線受信部と、
前記無線受信部で受信された前記音声データを一時的に蓄える音声データバッファと、
前記音声データバッファに蓄えられている前記音声データを逐次読み込んでデコードし、音声信号を出力する音声デコーダーと、
前記音声デコーダーにおける前記音声のデコードのための基準時刻情報を発生する基準時刻生成部と、
前記基準時刻生成部で発生される基準時刻情報が、前記無線受信部で受信された前記基準時刻情報に一致するように、前記基準時刻生成部を制御する時刻生成制御部と
を備えることを特徴とする。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記再生音声フレーム番号生成部で生成される前記再生音声フレーム番号が、所定の下限値から所定の上限値までの範囲内で循環的に変化する値を表すものである
ことを特徴とする映像音声再生システム。
【請求項２】
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記映像表示装置は、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送する
ことを特徴とする映像音声再生システム。
【請求項３】
前記再生音声フレーム番号復元部は、
前記正弦波の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられる
ことを特徴とする請求項２に記載の映像音声再生システム。
【請求項４】
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記再生音声フレーム番号生成部で生成される前記再生音声フレーム番号が、所定の下限値から所定の上限値までの範囲内で循環的に変化する値を表すものである
ことを特徴とする映像表示装置。
【請求項５】
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部と、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記無線送信部は、
前記無線通信用エンコーダーから出力される前記デジタルデータストリームを音声出力装置に無線伝送する
ことを特徴とする映像表示装置。
【請求項６】
映像表示装置の無線送信部から無線で送信された音声信号と、前記映像表示装置で映像データをデコードする際に生成された再生音声フレーム番号を受信し、前記音声信号で表される音声を出力する音声出力装置において、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記映像表示装置で生成される再生映像フレーム番号が一致するように、前記映像表示装置における前記映像データのデコードのタイミングを制御するタイミング制御部と、
前記再生音声フレーム番号に対応する周波数の正弦波を生成するための正弦波発信器と、
前記映像表示装置の前記無線送信部から無線送信された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送し、
前記再生音声フレーム番号復元部は、
前記正弦波の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられる
ことを特徴とする音声出力装置。
【請求項７】
前記映像表示装置は、
前記再生音声フレーム番号をデジタル変調するデジタル変調器と、
前記音声デコーダーによってデコードされた音声信号をエンコードしてデジタルデータストリームを出力する無線通信用エンコーダーと、
前記無線通信用エンコーダーから出力された前記デジタルデータストリームと、
前記デジタル変調器でデジタル変調された前記再生音声フレーム番号を多重して多重データを出力するデジタル多重器とを有し、
前記無線送信部は、
前記デジタル多重器から出力される前記多重データを前記音声出力装置に無線伝送する
ことを特徴とする請求項１から３のいずれか１項に記載の映像音声再生システム。
【請求項８】
前記再生音声フレーム番号復元部は、
前記無線受信部で受信された、デジタル変調された前記再生音声フレーム番号をデジタル復調するデジタル復調器と、
前記デジタル復調器で復調されたデータからフレームカウント値を生成するカウント値生成部とを備え、
前記カウント値生成部で生成されたフレームカウント値が前記復元された再生音声フレーム番号として用いられる
ことを特徴とする請求項７に記載の映像音声再生システム。
【請求項９】
前記デジタル変調器が、振幅変調方式で前記デジタル変調を行う
ことを特徴とする請求項７又は８に記載の映像音声再生システム。
【請求項１０】
前記デジタル変調器が、周波数変調方式で前記デジタル変調を行う
ことを特徴とする請求項７又は８に記載の映像音声再生システム。
【請求項１１】
前記デジタル変調器が、位相変調方式で前記デジタル変調を行う
ことを特徴とする請求項７又は８に記載の映像音声再生システム。
【請求項１２】
前記デジタル変調器が、直角２相変調方式で前記デジタル変調を行う
ことを特徴とする請求項７又は８に記載の映像音声再生システム。
【請求項１３】
前記タイミング制御部は、
前記復元された再生音声フレーム番号と、前記再生映像フレーム番号の差分を求めるフレーム番号比較器と、
前記差分に基づいて調整値を算出する調整値算出器とを有し、
前記映像デコーダーは、前記調整値だけ、前記デコードのタイミングを変更する
ことを特徴とする請求項１から３及び７から１２のいずれか１項に記載の映像音声再生システム。
【手続補正２】
【補正対象書類名】明細書
【補正対象項目名】０００５
【補正方法】変更
【補正の内容】
【０００５】
本発明の一つの態様の映像音声再生システムは、
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記再生音声フレーム番号生成部で生成される前記再生音声フレーム番号が、所定の下限値から所定の上限値までの範囲内で循環的に変化する値を表すものである
ことを特徴とする。
本発明の他の態様の映像音声再生システムは、
映像表示装置と、音声出力装置とを有し、
前記映像表示装置で映像を表示するとともに、前記映像と同期して出力すべき音声を表す音声信号を前記音声出力装置に無線で送信し、
前記音声出力装置において、前記音声信号で表される音声を出力する
映像音声再生システムにおいて、
前記映像表示装置は、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記音声出力装置は、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記再生映像フレーム番号生成部で生成された前記再生映像フレーム番号が一致するように、前記映像デコーダーにおけるデコードのタイミングを制御するタイミング制御部をさらに有し、
前記映像表示装置は、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送する
ことを特徴とする。
本発明のさらに他の態様の映像表示装置は、
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部とを備え、
前記再生音声フレーム番号生成部で生成される前記再生音声フレーム番号が、所定の下限値から所定の上限値までの範囲内で循環的に変化する値を表すものである
ことを特徴とする。
本発明のさらに他の態様の映像表示装置は、
映像を表示するとともに、前記映像と同期して出力すべき音声を表す音声信号を無線で送信する、映像表示装置において、
前記映像を表す映像データを一時的に蓄える映像データバッファと、
前記映像データバッファに蓄えられた前記映像データを逐次読み込んでデコードし、映像信号を出力する映像デコーダーと、
前記映像デコーダーでデコードされた映像のフレーム番号を再生映像フレーム番号として生成する再生映像フレーム番号生成部と、
前記音声を表す音声データを一時的に蓄える音声データバッファと、
前記音声データバッファに蓄えられた前記音声データを逐次読み込んでデコードし、音声信号を出力する音声デコーダーと、
前記音声デコーダーでデコードされた音声のフレーム番号を再生音声フレーム番号として生成する再生音声フレーム番号生成部と、
前記音声デコーダーから出力された前記音声信号と、前記再生音声フレーム番号生成部で生成された前記再生音声フレーム番号とを互いに関連付けて無線送信する無線送信部と、
前記再生音声フレーム番号に対応する周波数の正弦波を生成するための正弦波発信器と、
前記音声デコーダーから出力された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記無線送信部は、
前記無線通信用エンコーダーから出力される前記デジタルデータストリームを音声出力装置に無線伝送する
ことを特徴とする。
本発明のさらに他の態様の音声出力装置は、
映像表示装置の無線送信部から無線で送信された音声信号と、前記映像表示装置で映像データをデコードする際に生成された再生音声フレーム番号を受信し、前記音声信号で表される音声を出力する音声出力装置において、
前記無線送信部から無線送信された前記音声信号及び前記再生音声フレーム番号を受信する無線受信部と、
前記無線受信部で受信された前記再生音声フレーム番号を復元して出力する再生音声フレーム番号復元部と、
前記再生音声フレーム番号復元部で復元された前記再生音声フレーム番号を前記映像表示装置に無線送信する無線送信部とを有し、
前記映像表示装置は、
前記音声出力装置から無線送信された前記再生音声フレーム番号に、前記映像表示装置で生成される再生映像フレーム番号が一致するように、前記映像表示装置における前記映像データのデコードのタイミングを制御するタイミング制御部と、
前記再生音声フレーム番号に対応する周波数の正弦波を生成するための正弦波発信器と、
前記映像表示装置の前記無線送信部から無線送信された前記音声信号と前記正弦波発信器で生成された前記正弦波を多重して多重音声信号を出力する音声多重器と、
前記音声多重器から出力された前記多重音声信号をエンコードしてデジタルデータストリームを出力する無線通信用エンコーダーとを備え、
前記映像表示装置の前記無線送信部は、
前記無線通信用エンコーダーから出力される前記デジタルデータストリームを前記音声出力装置に無線伝送し、
前記再生音声フレーム番号復元部は、
前記正弦波の周波数を計測する周波数計測器と、
前記計測した周波数に基づき対応するフレームカウント値を算出するカウント値演算部とを備え、
前記カウント値演算部で算出されたフレームカウント値が前記復元された再生音声フレーム番号として用いられる
ことを特徴とする。
【国際調査報告】
2014069081.tif 000018
2014069081.tif 000019
2014069081.tif 000020
2014069081.tif 000021